(57)【要約】【課題】  リファレンス信号によりデータ信号の階調を表現し，別途の装置を使用せずともリファレンス信号自体を変更することによりデータ信号の階調補正を行うことが可能となる。【解決手段】  順次入力されたデータ信号を並列に出力するラッチ部２２０，２３０と，上記ラッチ部から出力されたデジタル信号をアナログ信号に変換するＤ／Ａコンバータ２４０とを含み，上記Ｄ／Ａコンバータは，時間に応じて電圧レベルが変化するリファレンス信号が入力され，上記リファレンス信号の電圧レベルが，上記デジタル信号の電圧レベルに相当する時点において，上記電圧レベルに相当する出力信号を出力することを特徴とする，データ駆動部２００が提供される。【選択図】    図４
2006126780.tif 000002
【特許請求の範囲】
【請求項１】
順次入力されたデータ信号を並列に出力するラッチ部と；
前記ラッチ部から出力されたデジタル信号をアナログ信号に変換するＤ／Ａコンバータと；
を含み，
前記Ｄ／Ａコンバータは，時間に応じて電圧レベルが変化するリファレンス信号が入力され，前記リファレンス信号の電圧レベルが，前記デジタル信号の電圧レベルに相当する時点において，前記電圧レベルに相当する出力信号を出力することを特徴とする，データ駆動部。
【請求項２】
前記Ｄ／Ａコンバータは，
クロック信号が入力され，前記デジタル信号値の範囲内の信号を順次出力するカウンタと；
前記カウンタから出力される数と前記デジタル信号とを比較演算して，前記カウンタから出力される数と前記デジタル信号とが等しくなったときに，制御信号を出力する比較部と；
前記制御信号と前記リファレンス信号が入力され，前記制御信号が入力された時点における前記リファレンス信号の電圧を出力信号として出力する出力ステージと；
を含むことを特徴とする，請求項１に記載のデータ駆動部。
【請求項３】
前記カウンタから出力される信号は，等間隔または非等間隔の何れか一つの信号であることを特徴とする，請求項２に記載のデータ駆動部。
【請求項４】
前記リファレンス信号は，時間の経過にしたがって上昇または下降の何れか一つの状態を維持することを特徴とする，請求項１に記載のデータ駆動部。
【請求項５】
前記リファレンス信号は，線型信号または非線型信号の何れか一つの信号であることを特徴とする，請求項１に記載のデータ駆動部。
【請求項６】
前記リファレンス信号の電圧レベルは，調節可能であることを特徴とする，請求項１に記載のデータ駆動部。
【請求項７】
複数の画素がデータ線と走査線とに連結されて配される画像表示部と；
順次入力されたデータ信号を並列に出力するラッチ部と，前記ラッチ部から出力されたデジタル信号をアナログ信号に変換するＤ／Ａコンバータと，を含むデータ駆動部と；
前記画像表示部に走査信号を伝達する走査駆動部と；
を含み，
前記Ｄ／Ａコンバータは，時間に応じて電圧レベルが変化するリファレンス信号が入力され，前記リファレンス信号の電圧レベルが，前記デジタル信号の電圧レベルに相当する時点において，前記電圧レベルに相当する出力信号を出力することを特徴とする，平板表示装置。
【請求項８】
前記Ｄ／Ａコンバータは，
クロック信号が入力され，前記デジタル信号値の範囲内の信号を順次出力するカウンタと；
前記カウンタから出力される数と前記デジタル信号とを比較演算して，前記カウンタから出力される数と前記デジタル信号とが等しくなったときに，制御信号を出力する比較部と；
前記制御信号と前記リファレンス信号が入力され，前記制御信号が入力された時点における前記リファレンス信号の電圧を出力信号として出力する出力ステージと；
を含むことを特徴とする，請求項７に記載の平板表示装置。
【請求項９】
前記カウンタから出力される信号は，等間隔または非等間隔の何れか一つの信号であることを特徴とする，請求項８に記載の平板表示装置。
【請求項１０】
前記リファレンス信号は，時間の経過にしたがって上昇または下降の何れか一つの状態を維持することを特徴とする，請求項７に記載の平板表示装置。
【請求項１１】
前記リファレンス信号は，線型信号または非線型信号の何れか一つの信号であることを特徴とする，請求項７に記載の平板表示装置。
【請求項１２】
前記リファレンス信号の電圧レベルは，調節可能であることを特徴とする，請求項７に記載の平板表示装置。
【請求項１３】
前記画像表示部は，
背面基板と；
前記背面基板上にストライプ形態に配列されるカソード電極と；
前記背面基板と前記カソード電極上に形成され，前記カソード電極の一部を露出させる第１開口部を具備する第１絶縁膜と；
前記第１絶縁膜上に，前記カソード電極と交差形成され，前記第１開口部に対応する第２開口部を具備するゲート電極と；
前記第２開口部に対応し，前記カソード電極上に形成される電子放出部と；
を含むことを特徴とする，請求項７に記載の平板表示装置。
【請求項１４】
前記ゲート電極上部には，メッシュ電極が形成されることを特徴とする，請求項１３に記載の平板表示装置。
【請求項１５】
デジタル信号をアナログ信号に変換するデータ変換方法であって：
デジタル信号と経過時間にしたがって電圧レベルが変化するリファレンス信号が入力される段階と；
前記デジタル信号の電圧レベルに相当する時点において，前記電圧レベルに相当する出力信号を出力する段階と；
を含むことを特徴とする，データ変換方法。
【請求項１６】
前記リファレンス信号は，時間の経過にしたがって上昇または下降の何れか一つの状態を維持することを特徴とする，請求項１５に記載のデータ変換方法。
【請求項１７】
前記リファレンス信号は，線型信号または非線型信号の何れか一つの信号であることを特徴とする，請求項１５に記載のデータ変換方法。
【請求項１８】
前記リファレンス信号の電圧レベルは，調節可能であることを特徴とする，請求項１５に記載のデータ変換方法。
【請求項１９】
前記デジタル信号の電圧レベルに相当する時点は，前記デジタル信号の範囲内で順次出力された数と，デジタル信号の数とが一致する時点であることを特徴とする，請求項１５に記載のデータ変換方法。
【請求項２０】
前記デジタル信号の範囲内の数は，カウンタを利用して生成されることを特徴とする，請求項１９に記載のデータ変換方法。
【請求項２１】
前記デジタル信号の範囲内の数は，等間隔または非等間隔の何れか一つの信号であることを特徴とする，請求項１９に記載のデータ変換方法。
【発明の詳細な説明】
【技術分野】
【０００１】
本発明は，データ駆動部，平板表示装置およびデータ変換方法にかかり，特に，データ信号の振幅によって階調を表現する，データ駆動部，平板表示装置およびデータ変換方法に関する。
【背景技術】
【０００２】
近年，陰極線管（Ｃａｔｈｏｄｅ  Ｒａｙ  Ｔｕｂｅ）の短所である重さや体積を減らすことができる各種の平板表示装置が開発されている。平板表示装置は，液晶表示装置（Ｌｉｑｕｉｄ  Ｃｒｙｓｔａｌ  Ｄｉｓｐｌａｙ），電子放出表示装置（Ｆｉｅｌｄ  Ｅｍｉｓｓｉｏｎ  Ｄｉｓｐｌａｙ），プラズマ表示パネル（Ｐｌａｓｍａ  Ｄｉｓｐｌａｙ  Ｐａｎｅｌ）および有機発光素子（Ｏｒｇａｎｉｃ  Ｌｉｇｈｔｅｍｉｔｔｉｎｇ  Ｄｅｖｉｃｅ：以下ＯＬＥＤという）を利用した有機発光表示装置等がある。
【０００３】
平板表示装置は，基板上に，マトリックス形態で複数の画素を配置して表示領域とし，各画素に走査線とデータ線を連結し，選択的にデータ信号をその画素に印加することによってディスプレイする。そして，平板表示装置は，データ信号を伝達するデータ駆動部と走査信号を伝達する走査駆動部とを具備する。データ駆動部は，デジタルデータ信号の入力を受けアナログデータ信号に変換して伝達し，データ信号の振幅（Ａｍｐｌｉｔｕｄｅ）によって階調を表示する。
【０００４】
図１は従来の技術によるＤ／Ａコンバータの構造を示す構造図である。
【０００５】
図１を参照して説明すると，Ｄ／Ａコンバータ部は，第１電圧Ｖｄｄが入力される入力端子と複数の抵抗とで構成され，上記第１電圧Ｖｄｄを分配する分配部３０，分配された電圧を出力する出力端子２０および４ビットのデジタル信号が入力される入力部１０を含む。
【０００６】
分配部３０は，入力端子とＶｓｓ端子の間に１５個の抵抗（Ｒ１，Ｒ２，…，Ｒ１４，Ｒ１５）が直列連結され，各抵抗の抵抗分割によってコントラスト制御信号を１６個の電圧に分配する。
【０００７】
出力端子２０は，４個のトランジスタ２１を含み，各トランジスタ２１が直列連結されてソース電極とドレイン電極が互いに連結されるように構成される。
【０００８】
そして，分配部３０の入力端子と第１抵抗Ｒ１の間，第１５抵抗Ｒ１５とＶｓｓ端子の間，および第１抵抗から第１５抵抗（Ｒ１，Ｒ２，…，Ｒ１４，Ｒ１５）の間に出力端子が連結される。従って，１６個の出力端子が分配部３０に連結されることになる。
【０００９】
そして，出力端子３０の各トランジスタ２１は，ゲート電極に印加される信号によってオンオフ動作し，４個のトランジスタ２１が全てオン状態となる出力端子３０を通じて信号が出力される。
【００１０】
入力部１０は，４ビットのデジタルデータ信号の入力を受けて出力端子の４個のトランジスタ２１を選択的にオンオフ状態にする。入力部１０を通じて入力される４ビットのデジタルデータ信号は，それぞれ２本の線に入力され，合わせて８本の線にデジタルデータ信号が入力される。
【００１１】
また，同一入力端に連結されている２本の線のうち，１本の線にはインバーターが連結され，他方にはインバーターを連結しない。そして，各スイッチ端にある４つのスイッチは，８本の線のうち，４本の線を選択してトランジスタ２１のゲート電極に連結される。ここで，デジタルデータ信号によってスイッチのオンオフ動作が決定され，４ビットの信号によって１６個のスイッチ端のうち１個のみのスイッチ端が選択され，そのスイッチ端を通じてコントラスト制御信号から分配された信号が出力される。従って，４個のデジタル信号を利用して１６個のアナログデータ信号が出力される。
【００１２】
また，出力されるアナログデータ信号の電圧の大きさを調整する場合，入力端子を通じて入力される第１電圧Ｖｄｄの電圧の大きさを調節して，制御端子とＶｓｓの間に連結されている各抵抗に分配される電圧の大きさを調節する。
【００１３】
しかし，上記図１に示されたＤ／Ａ変換器を採用した平板表示装置は，データ信号を補正するために，別途の装置を利用する必要がある。従って，補正をする過程が煩雑であり，別途の装置により平板表示装置の製造コストも増加する。
【００１４】
一方，上述した従来の平板表示装置を記載した文献としては，データドライバおよびそれを利用した表示装置を開示した特許文献１があり，また，デジタル−アナログコンバータおよびアクティブマトリックスＬＣＤ（Ｌｉｑｕｉｄ  Ｃｒｙｓｔａｌ  Ｄｉｓｐｌａｙ）を開示した特許文献２等がある。
【００１５】
【特許文献１】韓国特許公開第２００２−０００７９５６号明細書
【特許文献２】米国特許公開第６，５５６，１６２号明細書
【発明の開示】
【発明が解決しようとする課題】
【００１６】
本発明は，従来のデータ駆動部が有する上記問題点に鑑みてなされたものであり，本発明の目的は，リファレンス信号によりデータ信号の階調を表現し，別途の装置を使用せずともリファレンス信号自体を変更することによりデータ信号の階調補正を行うことが可能な，新規かつ改良されたデータ駆動部，平板表示装置およびデータ変換方法を提供することである。
【課題を解決するための手段】
【００１７】
上記課題を解決するために，本発明のある観点によれば，順次入力されたデータ信号を並列に出力するラッチ部と；上記ラッチ部から出力されたデジタル信号をアナログ信号に変換するＤ／Ａコンバータと；を含み，上記Ｄ／Ａコンバータは，時間に応じて電圧レベルが変化するリファレンス信号が入力され，上記リファレンス信号の電圧レベルが，上記デジタル信号の電圧レベルに相当する時点において，上記電圧レベルに相当する出力信号を出力することを特徴とする，データ駆動部が提供される。
【００１８】
上記Ｄ／Ａコンバータは，クロック信号が入力され，上記デジタル信号値の範囲内の信号を順次出力するカウンタと；上記カウンタから出力される数と上記デジタル信号とを比較演算して，上記カウンタから出力される数と上記デジタル信号とが等しくなったときに，制御信号を出力する比較部と；上記制御信号と上記リファレンス信号が入力され，上記制御信号が入力された時点における上記リファレンス信号の電圧を出力信号として出力する出力ステージと；を含むとしても良い。
【００１９】
また，上記カウンタから出力される信号は，等間隔または非等間隔の何れか一つの信号であるとしても良く，上記リファレンス信号は，時間の経過にしたがって上昇または下降の何れか一つの状態を維持する，または，線型信号または非線型信号の何れか一つの信号であるとしても良い。また，上記リファレンス信号の電圧レベルは，調節可能である。
【００２０】
上記課題を解決するために，本発明の別の観点によれば，複数の画素がデータ線と走査線とに連結されて配される画像表示部と；順次入力されたデータ信号を並列に出力するラッチ部と，上記ラッチ部から出力されたデジタル信号をアナログ信号に変換するＤ／Ａコンバータと，を含むデータ駆動部と；上記画像表示部に走査信号を伝達する走査駆動部と；を含み，上記Ｄ／Ａコンバータは，時間に応じて電圧レベルが変化するリファレンス信号が入力され，上記リファレンス信号の電圧レベルが，上記デジタル信号の電圧レベルに相当する時点において，上記電圧レベルに相当する出力信号を出力することを特徴とする，平板表示装置が提供される。
【００２１】
上記画像表示部は，背面基板と；上記背面基板上にストライプ形態に配列されるカソード電極と；上記背面基板と上記カソード電極上に形成され，上記カソード電極の一部を露出させる第１開口部を具備する第１絶縁膜と；上記第１絶縁膜上に，上記カソード電極と交差形成され，上記第１開口部に対応する第２開口部を具備するゲート電極と；上記第２開口部に対応し，上記カソード電極上に形成される電子放出部と；を含むとしても良い。
【００２２】
上記課題を解決するために，本発明のさらに別の観点によれば，デジタル信号をアナログ信号に変換するデータ変換方法であって：デジタル信号と経過時間にしたがって電圧レベルが変化するリファレンス信号が入力される段階と；上記デジタル信号の電圧レベルに相当する時点において，上記電圧レベルに相当する出力信号を出力する段階と；を含むことを特徴とする，データ変換方法が提供される。
【発明の効果】
【００２３】
以上説明したように本発明によるデータ駆動部，平板表示装置およびデータ変換方法によると，リファレンス信号によりデータ信号の階調を表現し，別途の装置を使用せずともリファレンス信号自体を変更することによりデータ信号の階調補正を容易に行うことができ，平板表示装置の製造コストを低減することが可能となる。
【発明を実施するための最良の形態】
【００２４】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２５】
図２は，本実施形態による平板表示装置の構造を示す構造図である。
【００２６】
図２を参照して説明すると，平板表示装置は，画像を表示する画像表示部１００と，データ信号を画像表示部１００に伝達するデータ駆動部２００と，および走査信号を伝達する走査駆動部３００とを含んで構成される。
【００２７】
画像表示部１００は，複数のデータ線（Ｄ１，Ｄ２，…，Ｄｍ−１，Ｄｍ）と複数の走査線（Ｓ１，Ｓ２，…，Ｓｎ−１，Ｓｎ）が交差し，各交差している点に画素１１０が構成される。画素１１０は，ゲート電極とカソード電極を具備し，データ線（Ｄ１，Ｄ２，…，Ｄｍ−１，Ｄｍ）と走査線（Ｓ１，Ｓ２，…，Ｓｎ−１，Ｓｎ）とを通じてデータ信号と走査信号を受信する。
【００２８】
また，走査線（Ｓ１，Ｓ２，…，Ｓｎ−１，Ｓｎ）を通じて入力される走査信号によって，複数の画素行が順次選択され，データ線（Ｄ１，Ｄ２，…，Ｄｍ−１，Ｄｍ）を通じてデータ信号が，走査信号によって選択された画素行に伝達され，画素１１０が発光する。
【００２９】
データ駆動部２００は，データ線（Ｄ１，Ｄ２，…，Ｄｍ−１，Ｄｍ）にデータ信号を出力する。このデータ信号の振幅によって階調値が表現される。データ駆動部２００は，外部からリファレンス信号Ｖｒｅｆを受け，デジタルデータ信号と比較することによって出力するデータ信号の振幅を決定する。
【００３０】
走査駆動部３００は，走査線（Ｓ１，Ｓ２，…，Ｓｎ−１，Ｓｎ）に，一定期間の間，ロー信号を印加して，画素部１００の特定の行を選択する。
【００３１】
図３は，本実施形態による平板表示装置に利用可能なデータ駆動部を示す構造図である。
【００３２】
図３を参照して説明すると，データ駆動部２００は，シフトレジスタ２１０，サンプリングラッチ２２０，ホールディングラッチ２３０，およびＤ／Ａコンバータ２４０を含んで構成される。
【００３３】
シフトレジスター２１０は，複数のフリップフロップからなり，クロック信号（ＣＬＫ）と同期信号（Ｈｓｙｎｃ）に応じてサンプリングラッチ２２０を制御する。サンプリングラッチ２２０は，シフトレジスター２１０から出力される制御信号によって，一行分（１つのアナログ信号を形成可能なデジタル信号列）のシリアルデータ信号を順次入力し，並列的（パラレル）に出力する。順次入力した信号を並列的に出力する方式をＳＩＰＯ（Ｓｅｒｉａｌ  Ｉｎ  Ｐａｒａｌｌｅｌ  Ｏｕｔ）と言う。そして，ホールディングラッチ２３０は，並列的に入力された信号を保持するため再度並列的に出力する。並列に入力した信号を並列に出力する方式をＰＩＰＯ（Ｐａｒａｌｌｅｌ  Ｉｎ  Ｐａｒａｌｌｅｌ  Ｏｕｔ）と言う。Ｄ／Ａコンバータ２４０は，デジタル信号で入力されるデータ信号をアナログ信号として出力する。
【００３４】
図４は，図３に示したデータ駆動部に利用可能なＤ／Ａコンバータの一実施形態を示す構造図である。
【００３５】
図４を参照して説明すると，Ｄ／Ａコンバータ２４０は，比較部２４１と，カウンタ２４２と，出力ステージ２４３とを含んで構成される。
【００３６】
カウンタ２４２は，クロックカウンタで構成可能であり，クロック（ＣＬＫ）の入力に応じて，デジタルデータ信号（Ｄｄａｔａ）の範囲（Ｄｄａｔａの最大値）に相当する数を順次，例えば１づつインクリメントして出力する。
【００３７】
比較部２４１は，デジタルデータ信号（Ｄｄａｔａ）と，カウンタ２４２の信号とを比較演算し，デジタルデータ信号（Ｄｄａｔａ）とカウンタ２４２の信号とが等しくなった時点で，制御信号を出力する。
【００３８】
出力ステージ２４３は，リファレンス信号（Ｖｒｅｆ）と，比較部２４１から出力される制御信号とによって出力信号を生成する。リファレンス信号（Ｖｒｅｆ）が当該出力ステージ２４３に入力されている状態で，比較部２４１から制御信号が出力されると，出力ステージ２４３は制御信号が出力された時点のリファレンス信号（Ｖｒｅｆ）の電圧値を保持し，出力信号として出力する。この出力ステージ２４３から出力される信号は，アナログデータ信号（Ａｄａｔａ）となる。
【００３９】
図５は，図４のＤ／Ａコンバータの動作を示す波形図であり，図６は，リファレンス信号の他の波形を示す図である。
【００４０】
図５および図６を参照して説明すると，Ｄ／Ａコンバータ２４０は，クロック（ＣＬＫ），デジタルデータ信号（Ｄｄａｔａ）およびランプ波形を持つリファレンス信号Ｖｒｅｆの入力を受けて動作する。
【００４１】
まず，Ｄ／Ａコンバータ２４０のカウンタ２４２と比較部２４１とに，クロック（ＣＬＫ）とデジタルデータ信号Ｄｄａｔａが入力されると，カウンタ２４２はクロック（ＣＬＫ）に合わせてカウントを始め，カウントした信号が順次比較部２４１に入力される。比較部２４１は，カウンタ２４２から出力された信号とデジタルデータ信号Ｄｄａｔａを継続して比較演算し，デジタルデータ信号Ｄｄａｔａとカウンタ値が等しくなる時点を把握する。
【００４２】
具体的に説明すると，デジタルデータ信号が７ビット信号であれば，カウンタも７ビット信号を出力し，カウンタは０から１２７までの信号を順次出力する。この時，デジタルデータ信号Ｄｄａｔａが４５であれば，比較部２４１はデジタルデータ信号Ｄｄａｔａとカウンタ２４２から出力されるカウンタ信号を継続して比較演算し，カウンタ信号が４５になる時を把握し，カウンタ信号が４５になる時点で制御信号を出力ステージ２４３に出力する。
【００４３】
また，デジタルデータの信号Ｄｄａｔａが９０であれば，カウンタ２４２値が９０の信号を出力したとき，比較部２４１は，制御信号を出力ステージ２４３に出力する。従って，比較部２４１は，デジタルデータ信号Ｄｄａｔａによって制御信号を出力する時間が変化することとなる。
【００４４】
そして，ランプ波形を有するリファレンス信号Ｖｒｅｆと，比較部２４１から出力される制御信号とが出力ステージ２４３に入力される。この時，リファレンス信号Ｖｒｅｆは，一定の周期で繰り返されており，制御信号はその一周期内において一回だけ出力ステージ２４３に入力される。
【００４５】
その周期内で上記図４の説明部分に提示された例のように，デジタルデータ信号Ｄｄａｔａが４５であるときの制御信号が出力ステージ２４３に入力される時点と，デジタルデータ信号Ｄｄａｔａが９０であるときの出力ステージ２４３に入力される時点とは異なる。従って，時間に応じて電圧値が変化するリファレンス信号Ｖｒｅｆは，デジタルデータ信号Ｄｄａｔａが４５の時と，９０の時とで異なる値（電圧値）を持つことになり，出力ステージ２４３は，異なる出力値を出力する。従って，出力ステージ２４３におけるアナログデータ信号Ａｄａｔａは，デジタルデータ信号Ｄｄａｔａによって異なる電圧値を有することになり，階調が表現できる。
【００４６】
また，例え，同一のデジタルデータ信号Ｄｄａｔａが入力されたとしても，入力されるリファレンス信号Ｖｒｅｆを調節することによってリファレンス信号の電圧値を異ならせると出力値も変化する。例えば，傾きが異なる二つのリファレンス信号を利用すると，同一の時点でもリファレンス信号の電圧値が異なり，アナログデータ信号Ａｄａｔａもその大きさが異なる事となる。従って，階調値が異なるように表現することが可能となる。こうして，リファレンス信号Ｖｒｅｆの変化を利用し，容易に階調を補正することができる。
【００４７】
そして，リファレンス信号Ｖｒｅｆは，図６に示されたように非線型的な波形を利用することも可能である。また，図５ではカウンタ２４２から出力される信号の周期が等間隔である場合を説明したが，カウンタから出力される信号は，周期を非等間隔にすることも可能である。カウンタから出力される信号の周期が非等間隔である場合に，リファレンス信号が線型的特性を持っていると，非線型的な階調表現ができるようになり，線型的なリファレンス信号を利用して非線型的な階調表現ができるようになる。
【００４８】
図７は，本実施形態による平板表示装置に採用された画像表示部の構造を示した斜視図であり，図８は，図７に示された画像表示部の構造を示した断面図である。
【００４９】
図７および図８を参照して説明すると，電子放出表示装置は，下部基板１９０と，上部基板２００と，スペーサ１８０と，メッシュ電極１７０とを含み，下部基板１００は，背面基板１００，カソード電極１１０，絶縁層１２０，電子放出部１３０，ゲート電極１４０含み，上部基板２００は前面基板，アノード電極および螢光膜が形成される。
【００５０】
下部基板１９０は，背面基板１００上にストライプの形態で少なくとも一つ以上のカソード電極１１０が形成され，カソード電極１１０の上部にカソード電極１１０の一部が露出されるように複数の第１溝１２１が形成される絶縁層１２０が設けられる。そして，絶縁層１２０上部にはゲート電極１４０が形成される。ゲート電極１４０には，一定大きさの複数の第２溝１４１が形成され，第２溝１４１は第１溝１２１の上部に対応して形成される。そして，カソード電極１１０の上部では第１溝１２１と第２溝１４１とが一致する領域に，電子放出部１３０が配置される。
【００５１】
背面基板１００は，ガラスまたはシリコン基板を使用し，電子放出部１３０は，ペーストを利用して後面露光によってこれを形成する場合に，ガラス基板のような透明基板が好ましい。
【００５２】
カソード電極１１０は，データ駆動部（図示せず），または走査駆動部（図示せず）から印加されるそれぞれのデータ信号または走査信号を電子放出部１３０に供給する。ここで，電子放出部１３０は，カソード電極１２０とゲート電極１４０とが交差する領域に設けられる。カソード電極１２０は，ＩＴＯ（Ｉｎｄｉｕｍ  Ｔｉｎ  Ｏｘｉｄｅ）が使われても良い。
【００５３】
絶縁層１２０は，基板１００とカソード電極１１０上部に形成され，カソード電極１１０とゲート電極１４０とを電気的に絶縁する。ゲート電極１４０は，絶縁層１２０上に所定の形状で，例えば，ストライプ状にカソード電極１１０と交差する方向に配置され，データ駆動部または走査駆動部から印加されるそれぞれのデータ信号または走査信号を各画素に供給する。ゲート電極１４０は，伝導性のよい金属，例えば，金（Ａｕ），銀（Ａｇ），白金（Ｐｔ），アルミニウム（Ａｌ），クローム（Ｃｒ）およびこれらの合金の中から選ばれた少なくとも一つの導電性金属材料からなる。
【００５４】
電子放出部１３０は，絶縁層１２０の第１開口部１２１によって露出されたカソード電極１１０上に電気的に接続され，それぞれ位置し，電界が加えられると電子を放出する。この電子放出部１３０は，例えば，カーボン界物質，またはナノメートル（ｎｍ）サイズの物質，カーボンナノチューブ，グラパイト（ｇｒａｐｈｉｔｅ），グラパイトナノファイバー，ダイア状カーボン，Ｃ６０，シリコンナノワイヤおよびこれらを組み合わせた物質であることが好ましい。
【００５５】
カソード電極１１０とゲート電極１４０に印加された電圧によって電界が形成されると，電子放出部１３０から電子が放出され，放出された電子は上部基板２００に形成されている螢光膜に衝突して所定のイメージを具現する。
【００５６】
メッシュ電極１７０は，ゲート電極１４０の上部に形成され，電子放出表示装置は，放出される電子軌道を制御し，高電圧によって形成されるアノード電界から電子放出部を保護する。メッシュ電極１７０は，図８に示したように電子放出部１３０を露出する第１開口部１７１が形成される。第１開口部１７１は，下部基板１９０から上部基板２００の方向に漸次的に狭くなるように形成する。
【００５７】
また，メッシュ電極１７０とゲート電極１４０の間に絶縁膜１６０が形成され，メッシュ電極１７０とゲート電極１４０が絶縁される。絶縁膜１６０は，メッシュ電極１７０の一側面に形成され，電子放出領域との耐電圧特性を向上させ，このために絶縁膜１６０はＰｂＯまたはＳｉＯ２を含むことが好ましい。
【００５８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５９】
本発明は，データ駆動部，平板表示装置およびデータ変換方法で利用できる。
【図面の簡単な説明】
【００６０】
【図１】従来の技術によるＤ／Ａコンバータの構造を示す構造図である。
【図２】本実施形態による平板表示装置の構造を示す構造図である。
【図３】本実施形態による平板表示装置に利用可能なデータ駆動部を示す構造図である。
【図４】図３に示されたデータ駆動部に利用可能なＤ／Ａコンバータの一実施形態を示す構造図である。
【図５】図４に示されたＤ／Ａコンバータの動作を示す波形図である。
【図６】リファレンス信号の他の波形を示す図である。
【図７】本実施形態による平板表示装置に採用された画素の構造を示す斜視図である。
【図８】図７に示された画像表示部の構造を示した断面図である。
【符号の説明】
【００６１】
１００  画像表示部
２００  データ駆動部
２１０  シフトレジスター
２２０  サンプリングラッチ
２３０  ホールディングラッチ
２４０  Ｄ／Ａコンバータ
２４１  比較部
２４２  カウンタ
２４３  出力ステージ
３００  走査駆動部
【図１】
2006126780.tif 000003
【図２】
2006126780.tif 000004
【図３】
2006126780.tif 000005
【図４】
2006126780.tif 000006
【図５】
2006126780.tif 000007
【図６】
2006126780.tif 000008
【図７】
2006126780.tif 000009
【図８】
2006126780.tif 000010